(57)【要約】【課題】魚などを持ち運ぶ際に好適に使用することができ、使用後はそのまま古紙として廃棄することが可能であるとともに再生紙として容易にリサイクルすることができる持ち運び用紙製容器を提供する。【解決手段】段ボール製の外容器２と紙製の内容器３とからなり、前記外容器は少なくとも底板５と該底板の外縁から起立する二組の対向する側板６ａ，６ｂ，６ｃ，６ｄと蓋７ａ，７ｂとを有し、該外容器の側板及び蓋の少なくとも一方に取っ手４が設けられており、前記内容器は少なくとも内面に水溶性樹脂コートが施されており、該内容器が外容器内に収容され、外容器の取っ手を介して手で持ち運びができるものであることを特徴とする持ち運び用紙製容器１。【選択図】　　図１
2004106844.tif 000002
【特許請求の範囲】
【請求項１】
段ボール製の外容器と紙製の内容器とからなり、前記外容器は少なくとも底板と該底板の外縁から起立する二組の対向する側板と蓋とを有し、該外容器の側板及び蓋の少なくとも一方に取っ手が設けられており、前記内容器は少なくとも内面に水溶性樹脂コートが施されており、該内容器が外容器内に収容され、外容器の取っ手を介して手で持ち運びができるものであることを特徴とする持ち運び用紙製容器。
【請求項２】
前記内容器を構成する紙が、段ボール原紙または厚紙であることを特徴とする請求項１に記載の持ち運び用紙製容器。
【請求項３】
前記内容器が、封緘材料を用いずに組み立てられているものであることを特徴とする請求項１又は請求項２に記載の持ち運び用紙製容器。
【請求項４】
前記外容器の蓋が側板と連結しており、前記取っ手が前記蓋に切り込み形成されているものであることを特徴とする請求項１ないし請求項３のいずれか１項に記載の持ち運び用紙製容器。
【請求項５】
前記外容器の蓋と側板とが係止されるものであることを特徴とする請求項４に記載の持ち運び用紙製容器。
【請求項６】
前記外容器の蓋が側板と分離しており、かつ側板の内側に嵌め込まれるものであり、前記取っ手が、外容器の一組の対向する側板と、蓋が嵌め込まれたときに前記一組の対向する側板と合致する蓋の部分とに切り込み形成されているものであることを特徴とする請求項１ないし請求項３のいずれか１項に記載の持ち運び用紙製容器。
【請求項７】
前記外容器の蓋が側板と分離しており、かつ側板の外側に嵌め込まれるものであり、前記取っ手が、外容器の一組の対向する側板の外面に取り付けられているものであることを特徴とする請求項１ないし請求項３のいずれか１項に記載の持ち運び用紙製容器。
【請求項８】
前記内容器に魚または切り花を入れて持ち運ぶものであることを特徴とする請求項１ないし請求項７のいずれか１項に記載の持ち運び用紙製容器。
【発明の詳細な説明】
【０００１】
【発明の属する技術分野】
本発明は、手で持ち運びができる紙製容器に関し、具体的には魚や切り花等を氷や水と一緒に入れて持ち運ぶことができる紙製容器に関する。
【０００２】
【従来の技術】
従来、市場などから購入した魚を持ち帰る際、あるいは釣った魚を持ち帰る際、発泡スチロール製の容器が使われている。発泡スチロール製の容器は、軽量であり魚と一緒に氷を入れて持ち運ぶことできる等の利点があるが、廃棄処分する場合、近年急激に増大して問題となっている不燃ゴミとして残る上に、非常にかさ張り保管、保存、廃棄物量の点等で特に問題がある。
【０００３】
【発明が解決しようとする課題】
そこで、上記問題点を解決するべく、本発明では、魚などを持ち運ぶ際に好適に使用することができ、保管、保存に場所をとらず、使用後はそのまま古紙として廃棄することが可能であるとともに再生紙として容易にリサイクルすることができる持ち運び用紙製容器を提供することを目的とする。
【０００４】
【課題を解決するための手段】
上記目的を達成するため、本発明によれば、段ボール製の外容器と紙製の内容器とからなり、前記外容器は少なくとも底板と該底板の外縁から起立する二組の対向する側板と蓋とを有し、該外容器の側板及び蓋の少なくとも一方に取っ手が設けられており、前記内容器は少なくとも内面に水溶性樹脂コートが施されており、該内容器が外容器内に収容され、外容器の取っ手を介して手で持ち運びができるものであることを特徴とする持ち運び用紙製容器が提供される。
【０００５】
このように本発明に係る持ち運び用紙製容器は、内容器と外容器の二重構造となっており、内容器の内面には水溶性樹脂コートが施されているので耐水性に優れ、魚と一緒に氷を入れても水漏れすることはない。また、樹脂は水溶性であるので、水または水溶液で処理するだけで除去可能であるので、分別して廃棄する必要がない。一方、外容器は段ボール製であり断熱性を有しているので氷が溶け難く、また取っ手が設けられているので、取っ手をつかんで容易に持ち運ぶことができる。そして何より、容器全体が紙から作られているので、使用後はそのまま古紙として廃棄することが可能であるし、あるいは再生紙として容易にリサイクルすることもできる。
【０００６】
内容器を構成する紙は、段ボール原紙または厚紙であることが好ましい。
内容器が段ボール原紙または厚紙から作られていれば、強度に優れているため、容器としての形状が保たれる上、内容器の中に魚や氷を入れたときに破れることがなく、使用後の廃棄やリサイクルも容易に行うことができる。
【０００７】
また、内容器は、封緘材料を用いずに組み立てられているものであることが好ましい。
内容器が、ステープルや粘着テープ等の封緘材料を用いずに組み立てられていれば、使用後に特殊な処理や異物（ステープル等）の除去作業等をすることなく、そのまま廃棄することができるし、古紙として再生する際、再生紙としてそのまま極めて容易にリサイクルすることができる。
【０００８】
本発明に係る持ち運び用紙製容器のより具体的な態様としては、外容器の蓋が側板と連結しており、取っ手が蓋に切り込み形成されているものとすることができる。
このように外容器の蓋と側板とが連結し、さらに取っ手が蓋に切り込み形成されていれば、外容器全体を１枚の段ボールからなる一体物とすることができる。従って、このような形状であれば、１枚の段ボールを打ち抜いて外容器を容易に作製することができるので、コストをより低く抑えることができるし、管理や保管上も都合が良い。
【０００９】
この場合、前記外容器の蓋と側板とが係止されるものであることが好ましい。蓋と側板とが係止されていれば、持ち運ぶ間に蓋が開いてしまうことがなく、容器の中に入っている魚や氷などが飛び出すのを確実に防ぐことができる。
【００１０】
本発明に係る持ち運び用紙製容器の他の具体的な態様として、外容器の蓋が側板と分離しており、かつ側板の内側に嵌め込まれるものであり、取っ手が、外容器の一組の対向する側板と、蓋が嵌め込まれたときに前記一組の対向する側板と合致する蓋の部分とに切り込み形成されているものとすることができる。
このように蓋を側板の内側に嵌め込み、側板と蓋の合致する部分に取っ手が切り込み形成されていれば、蓋を閉めた状態で蓋と側板にある取っ手をつかんで持ち運ぶことができ、取っ手の強度が高いとともに容器の中に入っている魚や氷などが飛び出すのを確実に防ぐことができる。
【００１１】
本発明に係る持ち運び用紙製容器のさらに別の具体的な態様として、外容器の蓋が側板と分離しており、かつ側板の外側に嵌め込まれるものであり、取っ手が、外容器の一組の対向する側板の外面に取り付けられているものとすることができる。
この形態では、比較的内容積を大きくすることができ、例えば花のように軽量であるがかさ張る物を入れて、蓋を閉めた状態で取っ手をつかんで持ち運ぶのに適している。
【００１２】
本発明に係る持ち運び用紙製容器は、前記内容器に魚または切り花を入れて持ち運ぶものとすることができる。
内容器は耐水性を、外容器は断熱性をそれぞれ有し、また、外容器には取っ手が設けられているので、内容器に魚と一緒に氷を入れたり、切り花と一緒に水を入れて持ち運ぶものとして好適に使用することができる。
【００１３】
【発明の実施の形態】
以下、図面を参照しながら本発明の実施の形態について具体的に説明するが、本発明はこれらに限定されるものではない。
本発明の持ち運び用紙製容器は、段ボール製の外容器と紙製の内容器とからなり、外容器は少なくとも底板と該底板の外縁から起立する二組の対向する側板と蓋とを有し、該外容器の側板及び蓋の少なくとも一方に取っ手が設けられている。そして、内容器は少なくとも内面に水溶性樹脂コートが施されており、該内容器が外容器内に収容され、外容器の取っ手を介して手で持ち運びができるものである。
【００１４】
図１は、本発明に係る持ち運び用紙製容器の一例を示したものであり、図２は、その外容器を示している。
この持ち運び用紙製容器１は、段ボール製の外容器２と段ボール原紙製の内容器３とから構成されている。外容器２は底板５と、底板５の外縁から起立する二組の対向する側板６ａ，６ｂ，６ｃ，６ｄと、蓋７ａ，７ｂとを有している。一組の対向する側板６ａ，６ｂにそれぞれ蓋７ａ，７ｂが連結し、他の組の対向する側板６ｃ，６ｄにはそれぞれ内フラップ１０ｃ，１０ｄが延出している。
【００１５】
蓋７ａ，７ｂには、それぞれ略中央に取っ手４ａ，４ｂが切り込み形成されている。一方の蓋７ａと側板６ａとの間には差込み孔９ａが形成され、さらに差込み孔９ａを跨ぐように係止片８ａが切り込み形成されている。また、蓋７ａの上縁部からは差込みフラップ１１が延出している。
他方の蓋７ｂの上縁部からは差込み片８ｂが延出しており、蓋７ｂと差込み片８ｂの間には係止孔９ｂが形成されている。
【００１６】
このような外容器２は、一体物として１枚の段ボール原紙を底板５、側板６ａ，６ｂ，６ｃ，６ｄ、蓋７が全て連結した形状に打ち抜いて形成されている。打ち抜き加工は、打ち抜き用の刃を付けた型を用いてプレス機で段ボール原紙を１回で打ち抜くとともに、所定の位置に折り目線１３（あるいはミシン線）を入れることができる。そして、折り目線１３に沿って底板５と側板６ａ，６ｂ，６ｃ，６ｄを折り曲げるとともに、接着剤や粘着テープなどを用いて所望の箇所を留めることで、図２のような外容器２を組み立てることができる。
【００１７】
図３は、内容器３の展開形状を示している。内容器３は、底面部分１５と側面部分１６ａ，１６ｂ，１６ｃ，１６ｄと連結部分１７とからなる１枚の段ボール原紙から構成され、対向する側面部分１６ｃ，１６ｄには、それぞれ係止片１９が切り込み形成されている。また、内容器３の内面となる側の面には水溶性樹脂コートが施されている。
【００１８】
この水溶性樹脂コートとは、具体的には原紙に被覆させた水溶性樹脂の膜や層のことであり、具体的に本発明で使用できる水溶性樹脂としては、例えば、カゼイン、アルブミン、ゼラチン等の天然高分子化合物、メチルセルロース、カルボキシメチルセルロース、ヒドロキシエチルセルロース等の水溶性セルロース類、ポリエチレングリコール、ポリプロピレングリコール等のポリエーテル類、（メタ）アクリル酸系ポリマー、アクリル−スチレン共重合体等の水溶性アクリル系樹脂、及び水溶性ポリブチラール、ポリビニルアルコール等の水溶性合成高分子化合物が挙げられる。
なお、本発明で使用できる水溶性樹脂は上に挙げたものに限定されず、原紙に膜状に被覆した際、例えば数日間から数週間水の漏れを防止する耐水性、防湿性、撥水性等を示すものであれば特に限定されない。
【００１９】
図３の展開形状の段ボール原紙から内容器３を組み立てるには、水溶性樹脂コートが施された面が内容器３の内面となるように各折り目線１８に沿って折り、内容器３の内側に折り曲げた各連結部分１７と側面部分１６ｃ，１６ｄの係止片１９を係止する。これにより、ステープルや粘着テープなどの封緘材料を用いずに内容器３を組み立てることができる。なお、内容器３の底面部分１５と側面部分１６ａ，１６ｂ，１６ｃ，１６ｄの間には折り目線１８が二重に形成されているので、各折り目線１８に沿って鈍角で折り曲げて組み立てることができる。そのため、底面部分と側面部分との間で水溶性樹脂コートにクラックが発生しにくく、水漏れを効果的に防ぐことができる。
【００２０】
図１の持ち運び用紙製容器１は、上記のような内容器３が図２に示した外容器２内に収容されている。そして、例えば魚を入れて持ち運ぶ際には、例えば内容器３に魚１４と氷（図示せず）を入れた後、外容器２の対向する内フラップ１０ｃ，１０ｄを内側に折り曲げ、次いで蓋７ａを内側に折り曲げて差込みフラップ１１を内フラップ１０ｃ，１０ｄと側板６ｂとの間に差し込む。さらにもう一方の蓋７ｂも内側に折り曲げ、先端の差込み片８ｂを差込み孔９ａに差し込む。このとき、既に折り曲げた蓋７ａの取っ手４ａは起立させておき、蓋７ｂの中央孔１２に通す。そして、差込み片８ｂを差込み孔９ａに差込んだ後、さらに係止片８ａを係止孔９ｂに差込むことで、蓋７ｂと側板６ａとが係止される。これにより、蓋７ａ，７ｂを確実に閉められるとともに、蓋７ｂの中央に取っ手４ａ，４ｂが起立した状態となる。
【００２１】
このように魚１４を収納した紙製容器１は、取っ手４ａ，４ｂをつかんで容易に持ち運ぶことができる。また、外容器２は段ボール製であるため断熱性が高く、密閉されているので、氷が溶け難く、魚１４の鮮度を長く保つことができ、持ち運ぶ際に揺れても水や魚が外に飛び出すこともない。また、魚１４や氷は内面に水溶性樹脂コートが施された耐水性に優れた内容器３内に収納されているため、氷が溶けたとしても少なくとも一定期間（例えば、１〜７日程度）は水が漏れることもない。
【００２２】
そして、使用済みとなった場合には、内容器３の水溶性樹脂は、水、あるいは必要に応じて薬品を含む水溶液等により溶解されるし、組み立てにステープル等の封緘材を用いていないので、分別して廃棄することを要せず、そのまま廃棄し、あるいは回収して再生時に水を用いて処理することによって原紙から分離して容易に古紙再生することができる。さらに、外容器２も段ボールから構成され、ステープルを使用せずに組み立てられるので、内容器３と一緒にリサイクルや廃棄を行うことができる。
また、外容器２がまだ使用できる状態であれば、内容器３だけを新しいものに交換して続けて使用することもできる。
【００２３】
図４は、本発明に係る持ち運び用紙製容器の他の例を示している。この持ち運び用紙製容器２１は、図５（Ａ）（Ｂ）に示されるように外容器２２の蓋２７が外容器本体２３の側板２６ａ，２６ｂ，２６ｃ，２６ｄと分離しており、側板２６ａ，２６ｂ，２６ｃ，２６ｄの内側に嵌め込まれるものとなっている。外容器本体２３内に内容器３が収容され、外容器本体２３の一組の対向する側板２６ｃ，２６ｄに取っ手２４ｂが切り込み形成され、蓋２７が外容器本体２３に嵌め込まれたときに前記一組の対向する側板２６ｃ，２６ｄの取っ手２４ｂに合致する蓋の部分に取っ手（孔）２４ａが切り込み形成されている。このような外容器本体２３と蓋２７は、それぞれ打ち抜いた段ボールの所定箇所を接着剤で貼りつけて製造することができる。
【００２４】
図４に示した持ち運び用紙製容器２１も、内容器３に魚と氷を入れ、さらに蓋２７を側板２６ａ，２６ｂ，２６ｃ，２６ｄの内側に嵌め込むことで密閉される。取っ手２４ａ，２４ｂをつかんで容易に持ち運ぶことができ、氷が溶け難く、氷が溶けても水漏したり、魚や水が外に飛び出すことがない。この形態では、外容器の側板２６ｃ，２６ｄと蓋２７にある取っ手を同時につかむことになるので、取っ手の強度が高く、魚や氷、水を比較的多く入れて重量のある場合の持ち運びに適している。そしてこの形態でも持ち運び用紙製容器２１全体が紙でつくらているので、容易にリサイクルや廃棄を行うことができ、あるいは、内容器３だけを新しいものに交換して続けて使用することもできる。
【００２５】
図６は、本発明に係る持ち運び用紙製容器３１のさらに別の例を示している。この持ち運び用紙製容器３１は、外容器３２の蓋３７が外容器本体３３の側板３６ａ，３６ｃと分離しており、側板３６ａ，３６ｂ，３６ｃ，３６ｄの外側に嵌め込まれるものとなっている。このような、外容器本体３３と蓋３７もそれぞれ打ち抜いた段ボールを所定箇所を接着剤や粘着テープ３８で貼りつけて製造することができる。
【００２６】
取っ手３４ａ，３４ｂは、外容器３２の一組の対向する側板３６ａ，３６ｂの外面に取り付けられている。この取っ手３４ａ，３４ｂは、紐状に撚った紙の両端が２枚の帯状の紙３５の間に接着され、これを外容器本体３３の側板３６ａ，３６ｂの外面に接着剤を介して取り付けられている。
【００２７】
図６の持ち運び用紙製容器３１でも、内容器３に魚と氷を入れ、さらに蓋３７を側板３６ａ，３６ｂ，３６ｃ，３６ｄの外側に嵌め込むことで密閉されるので、氷が溶けても水漏れせず、取っ手３４ａ，３４ｂをつかんで持ち運ぶことができる。この形態は、取っ手の強度が前の形態より低くなり易いが、内容積を大きくできるので、比較的軽量でかさ張る生花等の持ち運びに適している。また、この紙製容器３１も、容器３１全体が紙で作られているので、使用後は、分別せずに廃棄、再生することができ、あるいは内容器３だけを新しいものに交換して続けて使用することもできる。
【００２８】
なお、本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００２９】
例えば内容器にも蓋を設けることもでき、これにより水や氷が外容器内に出て濡らすことを防止できる。また、用途に関しては、内容器に切り花と水を入れて持ち運ぶものとしても良いし、そのほか、水や氷とともに運搬する必要のあるもの、凍ったもの、濡れたもの等を一時的に収容して持ち運ぶ場合に使用するものとすることができる。例えば、アイスクリーム、ケーキ、食肉、野菜、豆腐、貝、ジュース等を挙げることができる。
【００３０】
【発明の効果】
本発明の持ち運び用紙製容器は、段ボール製の外容器と紙製の内容器とからなり、外容器の側板及び蓋の少なくとも一方に取っ手が設けられており、内面に水溶性樹脂コートが施された内容器が外容器内に収容されている。従って、内容器に魚、氷、水などを入れても水が漏れることがなく、外容器の取っ手を介して手で持ち運びができる。そして何より容器全体が紙製であるので、使用後においては、分別せずに廃棄あるいは再生処理を極めて容易に行うことができる。また、使用前後ともに折り畳んだり、展開して保存、保管ができるので、かさ張らず場所も取らない。
【図面の簡単な説明】
【図１】本発明に係る持ち運び用紙製容器の一例の概略斜視図である。
【図２】図１に示した持ち運び用紙製容器の外容器の概略斜視図である。
【図３】内容器の展開図である。
【図４】本発明に係る持ち運び用紙製容器の他の例の概略斜視図である。
【図５】図４に示した持ち運び用紙製容器の外容器の概略斜視図である。
（Ａ）蓋
（Ｂ）本体
【図６】本発明に係る持ち運び用紙製容器のさらに他の例の概略斜視図である。
【符号の説明】
１…持ち運び用紙製容器、　２…外容器、　３…内容器、
４ａ，４ｂ…取っ手、　５…底板、　６ａ，６ｂ，６ｃ，６ｄ…側板、
７ａ，７ｂ…蓋、　　８ａ…係止片、　８ｂ…差込み片、　９ａ…差込み孔、
９ｂ…係止孔、　１０ｃ，１０ｄ…内フラップ、　１１…差込みフラップ、
１２…中央孔、　１３…折り目線、　１４…魚、　１５…底面部分、
１６ａ，１６ｂ，１６ｃ，１６ｄ…側面部分、　１７…連結部分、
１８…折り目線、　１９…係止片、　２１…持ち運び用紙製容器、
２２…外容器、　２３…外容器本体、　２４ａ，２４ｂ…取っ手、
２６ａ，２６ｂ，２６ｃ，２６ｄ…側板、　２７…蓋、
３１…持ち運び用紙製容器、　３２…外容器、　３３…外容器本体、
３４ａ，３４ｂ…取っ手、　３５…帯状の紙、
３６ａ，３６ｂ，３６ｃ，３６ｄ…側板、　３７…蓋、　３８…粘着テープ。
【図１】
2004106844.tif 000003
【図２】
2004106844.tif 000004
【図３】
2004106844.tif 000005
【図４】
2004106844.tif 000006
【図５】
2004106844.tif 000007
【図６】
2004106844.tif 000008